(57)【要約】【課題】カードを利用した際に、その決済情報をカードの利用者に通知することが可能な決済情報通知サービスサーバ及び決済情報通知方法を提供する。【解決手段】利用者８が非接触ＩＣカードをＩＣカード読み書き装置１０にかざすと、非接触ＩＣカードに記録されている電子マネーが更新（減額）される。更新された電子マネーの残高情報は残高情報通知サーバ３に転送され、残高情報と予め設定された閾値とが比較される。比較の結果、残高情報が閾値以下であった場合、残高情報通知サーバ３は、電子マネーの残高情報や残高が少なくなった旨を通知する為の通知情報等を電子メールに添付し、利用者８によって設定された送信先の携帯電話機７に送信する。利用者８は、携帯電話機７で受信した残高情報等を確認することで、専用の機器を用いずに、非接触ＩＣカードに記録されている電子マネーの残高を確認することができる。【選択図】　図１
2004030271.tif 000002
【特許請求の範囲】
【請求項１】
決済を行う為のカードによる決済情報を受信し、前記受信した決済情報を通信ネットワークを介して前記カードの利用者に通知する通知手段を備えることを特徴とする決済情報通知サービスサーバ。
【請求項２】
前記カードは予め電子マネーが記録されているカードであり、前記決済情報には前記電子マネーの残高情報が含まれており、前記通知手段は、前記残高情報が閾値よりも低い場合に、前記電子マネーの残高情報又は警告情報を前記利用者に通知することを特徴とする請求項１記載の決済情報通知サービスサーバ。
【請求項３】
前記決済とは、所定領域内への入退場を管理する為に行われるものであり、前記通知手段は、前記利用者の所持する携帯通信端末に前記通知内容を記載した電子メールを送信することで前記通知を行うことを特徴とする請求項２記載の決済情報通知サーバ。
【請求項４】
前記カードは予め電子マネーが記録されているカードであり、前記決済情報には前記電子マネーの利用金額情報が含まれており、前記通知手段は、前記利用金額情報の累計が閾値を超えた場合に、前記利用者に前記利用金額情報の累計又は警告情報を通知することを特徴とする請求項１記載の決済情報通知サービスサーバ。
【請求項５】
前記閾値が複数種類存在し、前記通知手段は、前記複数種類の閾値の各々と前記残高情報とに基づいて、前記通知を前記複数回に分けて行うことを特徴とする請求項２又は請求項３記載の決済情報通知サービスサーバ。
【請求項６】
前記利用者への通知の有無は、前記利用者によって設定可能であることを特徴とする請求項１乃至請求項５のいずれか記載の決済情報通知サービスサーバ。
【請求項７】
前記閾値は、前記利用者によって設定可能であることを特徴とする請求項２乃至請求項６のいずれか記載の決済情報通知サービスサーバ。
【請求項８】
決済を行う為のカードにより前記決済を行うステップと、
前記決済の決済情報を受信するステップと、
前記決済情報を通信ネットワークを介して通知するステップとを備えることを特徴とする決済情報通知方法。
【請求項９】
前記決済情報に含まれる電子マネーの残高情報と閾値とを比較するステップと、
前記残高情報が前記閾値より低い場合に前記残高情報又は警告情報を通知するステップとを備えることを特徴とする請求項８記載の決済情報通知方法。
【請求項１０】
前記決済情報に含まれる電子マネーの利用金額情報の累計と閾値とを比較するステップと、
前記利用金額情報の累計が前記閾値を越えた場合に前記利用金額情報の累計又は警告情報を通知するステップとを備えることを特徴とする請求項８記載の決済情報通知方法。
【請求項１１】
前記閾値が複数存在する場合に、前記複数の閾値の各々と前記電子マネーの残高情報とを比較するステップを備えることを特徴とする請求項９記載の決済情報通知方法。
【発明の詳細な説明】
【０００１】
【発明の属する技術分野】
本発明は、非接触型のＩＣカードや接触型のカード等による決済後の決済情報をカードの利用者に通知する決済情報通知サービスサーバ及び決済情報通知方法に関する。
【０００２】
【従来の技術】
従来、特開平５−６３８５５に開示されているように、レンタル携帯電話機を管理する通話管理装置において、貸与した携帯電話機の通話残高が所定の限度額以下になったときに、その携帯電話機に無線信号等により警告を行って使用者に通知するというシステムがある。
【０００３】
又、特開平９−３１２７０８に開示されているように、プリペイド型の携帯電話機を用いる移動通信システムにおいて、前払い通話金額の残高が所定値以下になったときに、プリペイド型の携帯電話機に警告メッセージを送信して使用者に通知するというシステムがある。
【０００４】
【発明が解決しようとする課題】
しかしながら、上記従来のシステムは、レンタル携帯電話機やプリペイド型の携帯電話機を利用したシステムであり、電車の駅構内の入出場やバスの乗降等に使用されるＩＣカードや商品の購入等に用いられるクレジットカード等のカードを利用した際に、その残高情報や利用履歴情報等を、通信ネットワークを介してカードの利用者に通知するといったシステムは想定されていない。
【０００５】
この為、ＩＣカードの利用者は、従来、駅構内の備え付けの端末等を利用してしかＩＣカードの残高情報や利用履歴情報等を確認することができなかった。又、クレジットカード等の利用者は、クレジットカード利用後の明細伝票や毎月の利用履歴が記録されたダイレクトメール等でしか利用履歴情報等を確認することができなかった。
【０００６】
本発明は、上記事情に鑑みて為されたものであって、カードを利用した際に、その決済情報をカードの利用者に通知することが可能な決済情報通知サービスサーバ及び決済情報通知方法を提供することを目的とする。
【０００７】
【課題を解決するための手段】
本発明の決済情報通知サービスサーバは、決済を行う為のカードによる決済情報を受信し、前記受信した決済情報を通信ネットワークを介して前記カードの利用者に通知する通知手段を備えることを特徴とする。この構成により、カードを用いて決済を行った時点で、その決済情報をカードの利用者が確認することが可能となる。
【０００８】
又、本発明の決済情報通知サービスサーバは、前記カードが予め電子マネーが記録されているカードであり、前記決済情報には前記電子マネーの残高情報が含まれており、前記通知手段は、前記残高情報が閾値よりも低い場合に、前記電子マネーの残高情報又は警告情報を前記利用者に通知することを特徴とする。この構成により、電子マネーの残額が少なくなった場合に、その残高情報又は警告情報が利用者に通知される為、利用者は、その通知をもとに電子マネーを補充したり、電子マネーを使わないようにしたりといった対処を行うことができる。
【０００９】
又、本発明の決済情報通知サービスサーバは、前記決済が、所定領域内への入退場を管理する為に行われるものであり、前記通知手段は、前記利用者の所持する携帯通信端末に前記通知内容を記載した電子メールを送信することで前記通知を行うことを特徴とする請求項２記載の決済情報通知サーバ。この構成により、利用者は、所定領域内への入退場を行った後の電子マネーの残高情報を、入退場を行った直後に携帯通信端末で確認することができる為、リアルタイムで残高情報を知ることが可能なサービスを提供することができる。
【００１０】
又、本発明の決済情報通知サービスサーバは、前記カードが予め電子マネーが記録されているカードであり、前記決済情報には前記電子マネーの利用金額情報が含まれており、前記通知手段は、前記利用金額情報の累計が閾値を超えた場合に、前記利用者に前記利用金額情報の累計又は警告情報を通知することを特徴とする。この構成により、利用者による電子マネーの使い過ぎを防止することができる。
【００１１】
又、本発明の決済情報通知サービスサーバは、前記閾値が複数種類存在し、前記通知手段は、前記複数種類の閾値の各々と前記残高情報とに基づいて、前記通知を前記複数回に分けて行うことを特徴とする。この構成により、通知が複数回に分けて利用者に行われる為、利用者は、電子マネーの残高を気にしながら決済を行うことができる。
【００１２】
又、本発明の決済情報通知サービスサーバは、前記利用者への通知の有無が、前記利用者によって設定可能であることを特徴とする。この構成により、通知が必要ない利用者は、通知を受けないように設定可能とすることで、利用者の要望に応じたサービスを行うことができる。
【００１３】
又、本発明の決済情報通知サービスサーバは、前記閾値が、前記利用者によって設定可能であることを特徴とする。この構成により、利用者に応じたサービスを行うことができる。
【００１４】
本発明の決済情報通知方法は、決済を行う為のカードにより前記決済を行うステップと、前記決済の決済情報を受信するステップと、前記決済情報を通信ネットワークを介して通知するステップとを備えることを特徴とする。この構成により、カードを用いて決済を行った時点で、その決済情報をカードの利用者が確認することができる。
【００１５】
又、本発明の決済情報通知方法は、前記決済情報に含まれる電子マネーの残高情報と閾値とを比較するステップと、前記残高情報が前記閾値より低い場合に前記残高情報又は警告情報を通知するステップとを備えることを特徴とする。この構成により、電子マネーの残額が少なくなった場合に、その残高情報又は警告情報を通知する為、カードの利用者は、その通知をもとに電子マネーを補充したり、電子マネーを使わないようにしたりといった対処を行うことができる。
【００１６】
又、本発明の決済情報通知方法は、前記決済情報に含まれる電子マネーの利用金額情報の累計と閾値とを比較するステップと、前記利用金額情報の累計が前記閾値を越えた場合に前記利用金額情報の累計又は警告情報を通知するステップとを備えることを特徴とする。この構成により、利用者による電子マネーの使い過ぎを防止することができる。
【００１７】
又、本発明の決済情報通知方法は、前記閾値が複数存在する場合に、前記複数の閾値の各々と前記電子マネーの残高情報とを比較するステップを備えることを特徴とする。この構成により、通知が複数回に分けて利用者に行われる為、利用者は、電子マネーの残高を気にしながら決済を行うことができる。
【００１８】
【発明の実施の形態】
以下、本発明の実施形態について図面を参照して説明する。
（第一実施形態）
本実施形態では、駅構内に設けられる自動改札機を利用者が入退場する場合の形態について説明する。
図１は、本発明の実施形態に係る残高情報通知システムの概略構成図である。残高情報通知システム１は、自動改札機２、残高情報通知サーバ３、インターネット等のネットワーク４、携帯電話網５、パーソナルコンピュータ（ＰＣ）６、及び携帯電話機７から構成される。又、８は本システムの利用者であり、利用者８は携帯電話機７及び非接触ＩＣカードを所持している。又、自動改札機２は、ゲート装置９及びＩＣカード読み書き装置１０を備える。
【００１９】
自動改札機２は、利用者８が所持している非接触ＩＣカードに記録されている電子マネー情報をＩＣカード読み書き装置１０によって更新することで、電子マネーを減額し、ゲート装置９を開閉する。又、非接触ＩＣカードから読み取った電子マネーの残高情報や非接触ＩＣカードに記録されている電子マネーの利用履歴情報及び利用者ＩＤを残高情報通知サーバ３に転送する。
【００２０】
残高情報通知サーバ３は、自動改札機２から送信されてくる非接触ＩＣカードの残高情報や利用履歴情報等の決済情報と非接触ＩＣカードの利用者の利用者ＩＤとを受信する受信部（不図示）と、受信した決済情報に応じて、利用者ＩＤに対応する利用者によって設定されている通信端末（ＰＣ６や携帯電話機７）に、その決済情報や警告を示す文章等の警告情報を電子メールにて送信して通知する通知部（不図示）を備える。又、この決済情報や警告情報は、残高情報通知サーバ２で保存しておき、ＰＣ６や携帯電話機７からウェブアクセスで閲覧できるようにしても良い。
【００２１】
次に、残高情報通知システム１の動作について説明する。
まず、利用者８は、残高情報通知サーバ３にＰＣ６や携帯電話機７によるウェブアクセスによって利用者登録を行う。ここで利用者は、残高情報や警告情報の通知先（電子メールアドレス等）の設定、利用者ＩＤの登録、及びその他設定を行う。
【００２２】
利用者登録後、利用者が、５０００円分の電子マネーと利用者ＩＤとが記録された非接触ＩＣカードを自動改札機２のＩＣカード読み書き装置１０にかざすと、ＩＣカード読み書き装置１０と非接触ＩＣカードとの間で通信が行われ、非接触ＩＣカードの電子マネー５０００円から初乗り運賃である１３０円が減算され、非接触ＩＣカードの残高は４８７０円となる。この一連の決済情報（５０００円から１３０円が減算されて４８７０円になったという情報）は残高情報通知サーバ３に転送される。
【００２３】
利用者８が、上記の一連の動作により電車の乗降を繰り返し、非接触ＩＣカードの電子マネーの残高が６２０円になった場合について説明する。
電子マネーの残高が６２０円の状態で利用者８が自動改札機２を通過すると、６２０円から初乗り運賃１３０円が減算され、この決済情報が残高情報通知サーバ３に転送される。
【００２４】
残高情報通知サーバ３では、受信した決済情報に含まれる電子マネーの残高４９０円と利用者８又は残高情報通知サーバ３の管理者によって予め設定された閾値金額である５００円とを比較する。この場合は、閾値金額５００円よりも電子マネーの残高４９０円が下回っている為、残高通知情報サーバ３は、電子マネーの残高が４９０円になったことを通知する残高通知情報、電子マネーの残高が少ないことを警告する警告情報、又は利用者８の所持する非接触ＩＣカードによる電子マネーの利用履歴情報等を電子メールに添付する。そして、受信した利用者ＩＤに対応する利用者によって設定されている電子メールアドレスに、ネットワーク４又は携帯電話機網５を介して電子メールを送信する。
【００２５】
電子メールを携帯電話機７で受信した利用者８は、電子メールに添付されている残高通知情報、警告情報、又は利用履歴情報をディスプレイ上で確認する。
【００２６】
以上のように、本実施形態によれば、非接触ＩＣカードに記録されている電子マネーの残高が閾値金額以下になった場合に、その旨を伝える電子メールを利用者の所持する携帯電話機に送信することで、利用者は、残高が少なくなったときに、直ぐにその状況を確認することができる。
【００２７】
非接触ＩＣカードは読み書き装置と直接接触して用いない為、記録されている電子マネーの残高等は、駅構内に設けられた専用の機器や自動改札機２のディスプレイ上でしか確認することができない。したがって、本実施形態のように、専用の機器等を必要としなくとも、携帯電話機によって電子マネーの残高等を確認できるようにすることで、利用者にとって有用なサービスを提供することができる。
【００２８】
尚、本実施形態では、残高情報通知サーバ３に予め登録する閾値金額を１つとしているが、複数種類の閾値金額を登録しておくことも可能である。この場合は、例えば、３０００円、１５００円、及び５００円の３種類の閾値金額を登録しておき、残高情報通知サーバ３が、自動改札機２から送信されてくる決済情報に含まれる残高情報と上記３つの閾値金額とをそれぞれ比較し、残高が３０００円以下になったとき、１５００円以下になったとき、及び５００円以下になったときの３段階に分けて、利用者に残高通知情報、警告情報、又は利用履歴情報を送信する構成とすれば良い。
【００２９】
このようにすることで、残高通知等を段階的に確認することができる為、非接触ＩＣカードの利用者は、電子マネーの残高を気にしながら、非接触ＩＣカードを使用することができる。
【００３０】
又、残高が閾値金額以下になった場合に、利用者にその旨を通知するのではなく、電子マネーの利用金額の所定期間における累計金額が閾値金額以上になった場合に、利用者にその旨を通知するように構成しても良い。又、電子メールの受信を希望しない利用者は、残高情報通知サーバ３で電子メールの受信を拒否する設定を行うことも可能である。
【００３１】
又、電車の運賃の決済に使用するカードは非接触ＩＣカードに限らず、接触型の磁気カードやセキュリティ機能を有するＳＤカード等の記録媒体を用いても上記と同様の効果を得ることができる。
【００３２】
尚、本実施形態の残高情報通知システム１は、電車への乗降以外にも、バスへの乗降、映画館、水族館、コンサートホール、及び遊園地等への入退場、テーマパーク内のアトラクションへの入退場等、予め電子マネーをカードに記録しておき、記録した電子マネーを用いて所定領域への入退場や乗り物への乗降を行うようなシステムに適用することができる。
【００３３】
又、本実施形態では、予め電子マネーをカードに記録しておき、記録した電子マネーの残高に応じて、利用者に通知を行うシステムを説明したが、これとは反対に、決済を後で行うクレジットカードを利用した形態も考えられる。以下、クレジットカードを用いた利用履歴情報通知システムについて説明する。
【００３４】
（第二実施形態）
第二実施形態に係る利用履歴情報通知システムは、図１に示した残高情報通知システム１において、自動改札機２の替わりにクレジットカードによる決済で商品の取引を行う取引装置を備え、残高情報通知サーバ３の替わりに利用履歴情報通知サーバを備えた構成とする以外は、図１と同様の構成である。
【００３５】
利用履歴情報通知システムでは、利用者がクレジットカードで商品を購入すると、購入した商品の代金情報や引き落とし日、利用者情報等の決済情報が取引装置から利用履歴情報通知サーバに転送される。利用履歴情報通知サーバは、受信した決済情報に含まれる代金情報を所定期間（例えば１ヶ月）分蓄積しておき、蓄積された代金情報が予め定められた閾値金額を越えた場合に、蓄積されている現在のクレジットカード利用金額情報や利用金額が多いことを警告する警告情報等を、第一実施形態と同様に利用者に通知する。又は、クレジットカードによる商品の購入が行われる度に、そのクレジットカードの利用履歴情報を第一実施形態と同様に利用者に通知する。
【００３６】
以上のように、本実施形態によれば、クレジットカードによる商品購入金額の累計が閾値金額以上になった場合に、利用者の携帯電話機にその旨が通知される為、利用者は、この通知を確認することで、クレジットカードの使い過ぎを防ぐことができる。
【００３７】
又、クレジットカードを利用する毎に、利用者（クレジットカードの所持者）に利用履歴情報を通知することで、クレジットカードを紛失してしまい、そのクレジットカードが他人によって使われた場合等でも、クレジットカードが不正に使用されていることに直ぐに気付くことができ、防犯上にも役立つシステムを提供することができる。
【００３８】
【発明の効果】
本発明によれば、カードを利用した際に、その決済情報をカードの利用者に通知することが可能な決済情報通知サービスサーバ及び決済情報通知方法を提供することができる。
【図面の簡単な説明】
【図１】本発明の実施形態に係る残高情報通知システムの概略構成図である。
【符号の説明】
１　残高情報通知システム
２　自動改札機
３　残高情報通知サーバ
４　ネットワーク
５　携帯電話機網
６　ＰＣ
７　携帯電話機
８　利用者
９　ゲート装置
１０　ＩＣカード読み書き装置
【図１】
2004030271.tif 000003
【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
所定領域内への入退場を管理するシステムにおいて予め電子マネーが記録されているカードに読み書きを行う読み書き装置に接続された決済情報通知サーバであって、
前記カードの利用者識別情報および携帯電話の通知先情報を含む利用者情報を登録する設定登録手段と、
前記読み書き装置から前記カードの利用者識別情報および前記電子マネーの残高情報を含む決済情報を受信する受信手段と、
前記受信手段が受信した前記残高情報と所定の閾値とを比較する比較手段と、
前記残高情報が前記閾値よりも低い場合に、前記電子マネーの残高情報又は警告情報を前記設定登録手段に登録された利用者情報に基づいて、携帯電話網を介して前記携帯電話に通知する通知手段とを備えることを特徴とする決済情報通知サービスサーバ。
【請求項２】
前記通知手段は、前記携帯電話に前記通知内容を記載した電子メールを送信することで前記通知を行うことを特徴とする請求項１記載の決済情報通知サーバ。
【請求項３】
前記閾値が複数種類存在し、前記通知手段は、前記複数種類の閾値の各々と前記残高情報とに基づいて、前記通知を前記複数回に分けて行うことを特徴とする請求項２記載の決済情報通知サービスサーバ。
【請求項４】
前記利用者への通知の有無は、前記利用者によって設定可能であることを特徴とする請求項１乃至請求項３のいずれか記載の決済情報通知サービスサーバ。
【請求項５】
前記閾値は、前記利用者によって設定可能であることを特徴とする請求項１乃至請求項４のいずれか記載の決済情報通知サービスサーバ。
【請求項６】
所定領域内への入退場を管理するシステムにおいて予め電子マネーが記録されているカードの決済を行うステップと、
前記カードの決済がなされたときに、前記カードの読み書き装置から利用者識別情報および前記電子マネーの残高情報を含む前記決済の決済情報を受信するステップと、
前記決済情報通知サービスサーバの比較手段によって、前記残高情報と所定の閾値とを比較するステップと、
前記残高情報が前記閾値よりも低い場合に、前記電子マネーの残高情報又は警告情報を、前記カードの利用者が予め設定登録した前記カードの利用者識別情報および携帯電話の通知先情報を含む利用者情報に基づいて、携帯電話網を介して前記携帯電話に通知するステップとを備えることを特徴とする決済情報通知方法。
【請求項７】
前記閾値が複数存在する場合に、前記複数の閾値の各々と前記電子マネーの残高情報とを比較するステップを備えることを特徴とする請求項６記載の決済情報通知方法。
【手続補正２】
【補正対象書類名】明細書
【補正対象項目名】０００７
【補正方法】変更
【補正の内容】
【０００７】
【課題を解決するための手段】
所定領域内への入退場を管理するシステムにおいて予め電子マネーが記録されているカードに読み書きを行う読み書き装置に接続された決済情報通知サーバであって、前記カードの利用者識別情報および携帯電話の通知先情報を含む利用者情報を登録する設定登録手段と、前記読み書き装置から前記カードの利用者識別情報および前記電子マネーの残高情報を含む決済情報を受信する受信手段と、前記受信手段が受信した前記残高情報と所定の閾値とを比較する比較手段と、前記残高情報が前記閾値よりも低い場合に、前記電子マネーの残高情報又は警告情報を前記設定登録手段に登録された利用者情報に基づいて、携帯電話網を介して前記携帯電話に通知する通知手段とを備えることを特徴とする。この構成により、カードを用いて決済を行った時点で、その決済情報をカードの利用者が確認することが可能となる。また、電子マネーの残額が少なくなった場合に、その残高情報又は警告情報が利用者に通知される為、利用者は、その通知をもとに電子マネーを補充したり、電子マネーを使わないようにしたりといった対処を行うことができる。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
又、本発明の決済情報通知サービスサーバは、前記通知手段は、前記携帯電話に前記通知内容を記載した電子メールを送信することで前記通知を行うことを特徴とする。この構成により、利用者は、所定領域内への入退場を行った後の電子マネーの残高情報を、入退場を行った直後に携帯通信端末で確認することができる為、リアルタイムで残高情報を知ることが可能なサービスを提供することができる。


【手続補正５】
【補正対象書類名】明細書
【補正対象項目名】００１０
【補正方法】削除
【補正の内容】
【手続補正６】
【補正対象書類名】明細書
【補正対象項目名】００１４
【補正方法】変更
【補正の内容】
【００１４】
本発明の決済情報通知方法は、所定領域内への入退場を管理するシステムにおいて予め電子マネーが記録されているカードの決済を行うステップと、前記カードの決済がなされたときに、前記カードの読み書き装置から利用者識別情報および前記電子マネーの残高情報を含む前記決済の決済情報を受信するステップと、前記決済情報通知サービスサーバの比較手段によって、前記残高情報と所定の閾値とを比較するステップと、前記残高情報が前記閾値よりも低い場合に、前記電子マネーの残高情報又は警告情報を、前記カードの利用者が予め設定登録した前記カードの利用者識別情報および携帯電話の通知先情報を含む利用者情報に基づいて、携帯電話網を介して前記携帯電話に通知するステップとを備えることを特徴とする。この構成により、カードを用いて決済を行った時点で、その決済情報をカードの利用者が確認することができる。また、電子マネーの残額が少なくなった場合に、その残高情報又は警告情報を通知する為、カードの利用者は、その通知をもとに電子マネーを補充したり、電子マネーを使わないようにしたりといった対処を行うことができる。


【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】